(57)【要約】【課題】二重ロック機能を果たすことができて、しかも換気などで引き戸を少し開いた状態にしたときに、それ以上戸を移動させる（開く）ことができないようにする機能を備えた、簡単な構成の引き戸ロック装置を提供する。【解決手段】ベース板１１の一方端部に基部を螺旋ばね１５を介して起伏可能に軸着される起伏片１２と、この起伏片１２の他端部に一端を軸着されて前記起伏片１２が起立状態のときその状態を維持させる保持部片１３とを備えて、前記ベース板１１を戸の框部に固着して使用される引き戸ロック装置１０において、前記起伏片１２とその保持部片１３とが同一方向に起伏できて、所要の間隔で２組のロックユニット１０Ａ、１０Ｂを連結状態にして戸の框部に定着できる構成としたである。【選択図】　　　　　　図１
2004060144.tif 000002
【特許請求の範囲】
【請求項１】
ベース板の一方端部に基部を螺旋ばねを介して起伏可能に軸着される起伏片と、この起伏片の他端部に一端を軸着されて前記起伏片が起立状態のときその状態を維持させる保持部片とを備えて、前記ベース板を戸の框部に固着して使用される引き戸ロック装置において、
前記起伏片とその保持部片とが同一方向に選択的に起伏できるユニットを、所要の間隔で複数連結状態にして戸の框部に定着できる構成であることを特徴とする引き戸ロック装置。
【請求項２】
前記ベース板には、起伏片と連結される保持部片の自由端が起伏片を起立させた状態で係止されて保持できる係止部を突設されている請求項１に記載の引き戸ロック装置。
【請求項３】
前記ベース板上面には、起伏片と保持部片との軸着位置よりやや離れてその保持部片側に適宜寸法の磁性片が取付けられており、前記起伏片が倒伏すると保持部片を磁力で吸引保持できるように構成されている請求項１に記載の引き戸ロック装置。
【請求項４】
ベース板上に付設される前記起伏片とそれに連結される保持部片とその保持部片の自由端を係止保持する係止部を備えるロック装置の一単位は、分離可能な構成とされ、そのベース板には、前位置となるものの起伏片軸着部と反対側に引き掛け鉤片が形成され、後位置となるものの起伏片軸着部の前側に前記引き掛け鉤片が係合して連結される係合孔と係止部が形成された構成である請求項１〜３のいずれかに記載の引き戸ロック装置。
【発明の詳細な説明】
【０００１】
【発明の属する技術分野】
本発明は、窓の框部に固着して通常時には戸の開閉に支障なく、内部での簡単な操作によって戸の開きをロックできるようにされた窓の引き戸ロック装置に関するものである。
【０００２】
【従来の技術】
従来、一般家屋などにおける引き戸式窓の錠装置としては、既に多くの形式のものが提案され、かつ実用に供されている。その最も代表的なものとしてクレセント錠が汎用されている。しかしながら、この種の錠装置だけでは防犯上万全ではない。
【０００３】
そこで、基本的にクレセント錠を具備させるとともに、別の個所に補助的な施錠手段を付加して、外部からの侵入を予防するような対策がなされている。その一例として、図示省略するがクレセント錠に上下方向のロック機構を付加したものがあり、このロック機構はクレセント錠の掛け鉤を別のスライダーを上向きに移動させることによりロックを解除して、その状態で掛け鉤を回動させないと開錠できない形式のものが実用されている。もちろん、クレセント錠を閉じると付加されたロック機構が自動的にロックするようになされている。
【０００４】
この他に、前述のようなロック機構組み込み型のクレセント錠とは異なり、全く別個な補助的錠として引き戸の框部を利用して取り付ける形式のものが、例えば実開昭５９−６０２５２号公報によって知られている。この引き戸の框部に取付けて施錠できるものは、図６（ａ）（ｂ）（ｃ）によって示されるように、細長形の基板１の片方端に、起伏片２の基部を螺旋ばねＳを介して軸着Ｐ１されるとともに、その起伏片２の他端に抑止片３の一端を軸着Ｐ２された起伏錠であって、前記抑止片３の他端に、摺動片４の基端を軸着Ｐ３されて、かつその摺動片４の他端に、前記基板１の後端部に立設された支柱５，５に基端を支持される側面視ほぼ逆へ字状の弾性板６の先端を接離自在に当接させ、前記基板１とその基板１に被着したカバー体７の端部に形成される鍵孔Ｈより鍵片８（図６（ｃ）参照）を挿入してその先端を前記弾性板６と基板１との間に介入させることで開錠され（図６（ｂ）参照）、抑止片３を摺動片４とともに前方に移動させると起伏片２が起立して施錠される構造のものである。この錠装置は引き戸の框部（図示せず）に基板１の裏面を接着するか、基板１に連設される取付板９に設けられる取付孔Ｒによって取付けられる。図中符号Ｆ，Ｆ’は基板１の側板部、ｈは摺動片４に設けられた凹入溝孔で、基板１に突設の凸部ｔと係合して案内する部分である。
【０００５】
【発明が解決しようとする課題】
このような先行技術の引き戸錠装置にあっては、前者のクレセント錠にロック機構を付加したものでは防犯上安全性は高いが、例えば引き戸を少し開いて室内の換気（通気）をよくするような使用に際しては、全く錠としての機能を所有しておらないという問題点がある。
【０００６】
また、前記後者の実開昭５９−６０２５２号公報によって開示された引き戸の框部に取付けて施錠できる引き戸用鍵付き錠装置は、嵩低くて戸の框部に取付けることができるので、クレセント錠と併用すれば、予め戸を半開きして施錠できる位置に取り付けることで前者のような問題点を解消できる利点がある。しかしながら、鍵片を備えていないと閉止並びに開放することができず、構造的にも非常に複雑であるから高価につくという問題点を有している。また、この錠は、前述のような半開きに対応させるとクレセント錠の補助的施錠機能（二重ロック）を発揮させることができないという問題点もある。
【０００７】
本発明は、このような問題点を解決して、二重ロック機能を果たすことができて、しかも換気などで引き戸を少し開いた状態にしたときに、それ以上戸を移動させる（開く）ことができないようにする機能を備えた、簡単な構成の引き戸ロック装置を提供することを目的とするものである。
【０００８】
【課題を解決するための手段および作用・効果】
前記目的を達成するために、本発明による引き戸ロック装置は、
ベース板の一方端部に基部を螺旋ばねを介して起伏可能に軸着される起伏片と、この起伏片の他端部に一端を軸着されて前記起伏片が起立状態のときその状態を維持させる保持部片とを備えて、前記ベース板を戸の框部に固着して使用される引き戸ロック装置において、
前記起伏片とその保持部片とが同一方向に選択的に起伏できるユニットを、所要の間隔で複数連結状態にして戸の框部に定着できる構成であることを特徴とするものである。
【０００９】
本発明によれば、起伏片と連結される保持部片とを備えるユニットが所要の間隔で連結状態にされ、戸の框部に取付けられるようにされているので、その一方のユニットの起伏片を起立させると戸が閉じた状態で補助的に戸のロックができ（二重ロック効果）、他方のユニットの起伏片のみを起立させると戸がその起立片に当接する位置まで開いてそれ以上移動できないようにできるので、室内の換気などを行うときにも外部から侵入することができない、言い換えると戸を一部開いた状態にしても防犯効果が確保できるという効果が得られるのである。
【００１０】
前記発明において、前記ベース板には、起伏片と連結される保持部片の自由端が起伏片を起立させた状態で係止されて保持できる係止部を突設されているのがよい。こうすると、保持部片をベース板上でスライドさせて起伏片を起立させると、同時にその保持部片の後端（自由端）がベース板に突設されている係止部に係合して係止され、前記起伏片の起立状態を維持することができ、その起伏片が戸の縦框側面と当接して移動を阻止すること（戸のロック）ができる。なお、前記保持部片を起伏片側に少し移動させることにより係止部から離して、その係止部の上を越えさせるようにすると、前記螺旋ばねによる復元力で起伏片と保持部片をベース板上に倒伏させて戸を開閉自在にすることができる。
【００１１】
さらに、前記発明において、前記ベース板上面には、起伏片と保持部片との軸着位置よりやや離れてその保持部片側に適宜寸法の磁性片が取付けられており、前記起伏片が倒伏すると保持部片を磁力で吸引保持できるように構成されているのが好ましい。このようにすることで、起伏片を倒して非ロック状態に維持させるにあたり、保持部片をベース板に沿わせて保持できる機能をそなえることで、戸の開閉時にその保持部片の浮き上がりで、ロック装置や戸を傷めるようなことを防止できるという効果がある。また、前記磁性片を起伏片との連結部寄りに設けておくことで、保持部片の後端部（自由端部）を押し付けるようにすることで、その磁性片による吸引力を弱めると同時に起伏片を引き起こす姿勢に即対応できるので、前述のロック操作が容易となるという利点がある。
【００１２】
さらに、前記発明において、ベース板上に付設される前記起伏片とそれに連結される保持部片とその保持部片の自由端を係止保持する係止部を備えるロック装置の一単位は、分離可能な構成とされ、そのベース板には、前位置となるものの起伏片軸着部と反対側に連結鉤片が形成され、後位置となるものの起伏片軸着部の前側に前記連結鉤片が係合して連結される係合孔と係止部が形成された構成であるのがよい。こうすると、前後にロック装置のユニットを配置する際、そのまま一方の鉤片を他方の係合孔から係止部に掛け合わせることで連結して所定の間隔でロック位置を設定するほかに、必要に応じて鉤片と係合孔および係止部を備える別途接続片を介在させて連結すれば、戸の閉鎖ロックと半開き時の戸の開き程度を大きく取るようにすることもできる。
【００１３】
【発明の実施の形態】
次に、本発明による引き戸ロック装置の具体的な実施の形態につき、図面を参照しつつ説明する。
【００１４】
図１には本実施形態の引き戸ロック装置の全体斜視図が示されている。図２にはベース板の上面部分を表わす図が、図３には連結部の一部切欠き拡大斜視図が、それぞれ示されている。
【００１５】
この実施形態の引き戸ロック装置１０は、一般家屋の窓枠（サッシ）の上框および／または下框の屋内側に沿わせて取付使用される扁平な構造のもので、ロック操作をしないときには引き戸が自在にスライドできる間隙内に収まる寸法に形成されている。
【００１６】
その引き戸ロック装置１０の構成は、例えばステンレス鋼板を用いて長手方向に両方に側縁部１１ａ，１１ａを屈曲形成される所要寸法のベース板１１と、そのベース板１１の長手方向の一端部に軸着される起伏片１２と、さらにその起伏片１２の他端部に軸着されて前記起伏片１２を起立または倒伏させる保持部片１３および前記起伏片１２とベース板１１との軸着部に介在される螺旋ばね１５とを備え、このような構成のロックユニットを二組直列に連結してなるものである。なお、そのロックユニットについては、前側（実質的に戸をロック状態にする側）のものを第１ロックユニット１０Ａと称し、これに連なるロックユニットを第２ロックユニット１０Ｂと称する。
【００１７】
前記第１ロックユニット１０Ａ（説明上、単にロックユニット１０Ａという）のベースとなるベース板１１は、前述のようにステンレスの薄鋼板を少なくとも前記起伏片１２と保持部片１３とが連結状態で、かつ後部に第２のロックユニット１０Ｂを連結できる長さ寸法で所要幅に両側縁部１１ａ，１１ａを上向きに屈曲され、その長手方向の端部を上向きにカールさせて前記起伏片１２の一端部とを軸１６にて回動可能に連結してヒンジ構造１７となるようにされている。このヒンジ構造１７による軸着部分には、軸１６に被嵌される螺旋ばね１５（ねじりばね）によってベース板１１に対し起伏片１２が倒伏する方向に付勢力が与えられるようにされている。
【００１８】
前記起伏片１２は、前記ベース板１１の両側縁部１１ａ，１１ａ間に収まる幅で、長さ寸法が起立状態で開閉する可動側サッシの縦框を受止め得る寸法とされ、その長さ方向の一端が前述のベース板１１に対する軸着のためヒンジ構造１７の一部として内向きにカールされている。また、他端部も前記保持部片１３の一端部とヒンジ構造１８で連結されるように内向きにカールされている。なお、前記保持部片１３との連結部（ヒンジ構造１８部分）では、軸１９によって相互に連結されている。
【００１９】
また、前記保持部片１３は、前記起伏片１２との連結部の反対端１３ａをフリーにして所要長さで、かつ幅方向の両側部１３ｂ，１３ｂを下向きに屈曲させてあり、前記ベース板１１の両側縁部１１ａ，１１ａの内側に沿ってスライドできるように形成されている。
【００２０】
このようにしてベース板１１に順次ヒンジ構造１７，１８で連結される起伏片１２と保持部片１３とに対して、前述のベース板１１の上面（起伏片１２や保持部片１３と対向する面）には、ちょうど前記起伏片１２と保持部片１３とが両側縁部１１ａ，１１ａの内側に高さ寸法においても収まる状態にして、その起伏片１２と保持部片１３とのヒンジ構造１８部（軸着部）よりやや離れた保持部片１３の下側位置に、その保持部片１３を吸着できる比較的吸引力が強くない磁性板片２０が固着されている。また、ベース板１１の上面には、起伏片１２を起立させた状態で保持部片１３の自由端１３ａを係止保持させる鉤形の係止片２１を、前記磁性板片２０取付位置から後端方向に所要寸法離れた位置で、ベース板１１の一部を切ってプレス曲げして設けられている。
【００２１】
さらに、少なくとも一方のロックユニット（第１ロックユニット１０Ａ）におけるベース板１１の後端部１１ｂは、上面側に屈曲させて下面（底面）から適宜寸法浮き上がるようにされて、その後端部１１ｂに所要幅（ベース板１１の全幅寸法より狭い幅）で下側に打ち出して前方に向けて開放する連結鉤部２２が形成されている。
【００２２】
このような構成のロックユニット１０Ａに対して、連結されるもう一方のロックユニット（第２ロックユニット１０Ｂ）は、その主要構造において前述のものと同一であって（同一部分の符号は、すべて前記ロックユニットのものと同一で表わしている）、ベース板１１の前端部１１ｃに前記連結鉤部２２が係合できて、かつ係止連結できるようにされる係合孔２５とその前端に係止部２６が設けられている（図２に二点鎖線で表わしている部分を参照）。
【００２３】
また、両ロックユニット１０Ａ，１０Ｂの各ベース板１１の下面には、サッシの内側框面に固着させるための接着層２８が形成され、その接着層２８の表面を離形紙（図示せず）で覆って使用前の取扱いが容易なようにされている。なお、使用個所の都合でビス止め可能なように取付孔２９も複数設けられている。
【００２４】
このように構成される本実施形態の引き戸ロック装置１０は、図１によって示されるように、前述の第１ロックユニット１０Ａの後端部に設けられた連結鉤部２２を、第２ロックユニット１０Ｂにおける前端部の係合孔２５に挿入して、係止部２６と掛け合わせて連結し、両ロックユニット１０Ａ，１０Ｂのベース板１１下面の接着層２８をサッシの内側框面に接着させて取付け、使用される。その一態様が図４（ａ）（ｂ）によって示される。
【００２５】
すなわち、部屋の窓３０に組み込まれている引き戸３１，３１’のうち、外側の引き戸３１における内側の上框３５に第１ロックユニット１０Ａが引き戸３１’の動きをロックできるように、戸を閉じた状態で起伏片１２が起立したとき引き戸３１’の縦框に当接するようにその前端を位置させて接着層２８にて固定させる。次いで、第２ロックユニット１０Ｂを、その前端の係合孔２５に第１ロックユニット１０Ａの連結鉤部２２を受け入れさせて、係止部２６にその連結鉤部２２を係合させ連結状態にしてベース板１１下面の接着層２８によって引き戸３１’の内側（室内側）上框３３部に固着させる。
【００２６】
このようにして第１，第２のロックユニット１０Ａ，１０Ｂを連結して取付けておけば、このロック装置１０は、通常の状態で引き戸３１，３１’が開閉される状態において両戸間の間隙の範囲内に収まる寸法にされているので、何等支障なく開閉させることができる（図４（ａ）参照）。
【００２７】
そこで、引き戸３１，３１’を、付設されるクレセント錠３２によって施錠した状態で、第１ロックユニット１０Ａの起伏片１２を起立させると、その起伏片１２が引き戸３１’の縦框３４に当接する状態（図１参照）となるので、万一外部からクレセント錠３２による施錠を故意に外して窓から侵入しようとしても、外部から見えない上框３３に取付けられているこのロック装置１０によって引き戸３１’を突っ張っているので窓を開くことができず、防犯効果を発揮できる。
【００２８】
また、窓を少し開いて室内の換気などを行いたい場合、不在のときには不用心であるが、こうようなときには、図４（ｂ）で示されるように、第１ロックユニット１０Ａの起伏片１２を伏せた状態にして、第２ロックユニット１０Ｂの起伏片１２を起立させるようにすれば、その起伏片１２に引き戸３１’の縦框３４が当接する位置まで戸を開いても、それ以上には移動できないので、安全に換気などが行えるのである。
【００２９】
そこで、ロックユニット１０Ａ（１０Ｂ）の起伏片１２を起立操作（ロック）するには、図１における第２ロックユニット１０Ｂの状態（起伏片１２と保持部片１３が伏せている状態）で、図５によって表わすように、その保持部片１３の自由端１３ａを矢印で示すように、下向き（ベース板１１に向かって）指先で押し付けると、磁性板片２０による保持部片１３の吸引力が解除され、その保持部片１３と起伏片１２とのヒンジ構造１８による連結部分が持上げられる。したがって、そのまま保持部片１３を引き戸３１’の方向（矢印ａ）にスライドさせて、自由端１３ａを係止片２１に係合させると、起伏片１２が図１における右側で表わされる状態となり、ロックできる態勢になる。
【００３０】
なお、ロック操作を解除するには、起伏片１２が起立状態にあってそれにヒンジ構造１８で連結される保持部片１３を、そのヒンジ構造１８部分にて少し起伏片１２側に押し付けるように移動させると、保持部片１３の自由端１３ａが係止片２１との係合が解かれるので、前記自由端１３ａが再度係止片２１と係合しないようにやや持上げる状態にして押し戻せば、その保持部片１３が倒伏し、同時に磁性板片２０による吸引力で引き寄せられ、自動的に倒伏状態に戻されて保持される。
【００３１】
以上の説明では、引き戸に取り付けて使用する態様について記載したが、必要に応じて網戸の上框に前述の要領で取付けるようにすれば、網戸の開閉を規制するロック錠として使用することもできる。また、引き戸の開き幅を広くしたい場合には、図示省略するが、前述の連結鉤部２２を一方に有し、他方に係合孔２５と係止部２６とを一体に備える接続部片を介在させて連結するようにすればよい。さらに、本実施形態の引き戸ロック装置は、引き戸の上框部のみならず、併せて下框部にも取付けるようにすれば、より効果的である。
【図面の簡単な説明】
【図１】図１は、本実施形態の引き戸ロック装置の全体斜視図である。
【図２】図２は、ベース板の上面部分を表わす図である。
【図３】図３は、連結部の一部切欠き拡大斜視図である。
【図４】図４は、本実施形態のロック装置を窓の引き戸に取付けて使用する態様を表わし、不使用状態を表わす図（ａ）と引き戸を半開き状態で使用する状態を表す図（ｂ）である。
【図５】図５は、起伏片を起立させる際の操作説明図である。
【図６】図６は、従来の引き戸用の起伏錠を示す図で、施錠状態を示す斜視図（ａ）と解錠状態を示す斜視図（ｂ）および鍵片の斜視図（ｃ）である。
【符号の説明】
１０　　　　　　　　　引き戸ロック装置
１０Ａ　　　　　　　　第１ロックユニット
１０Ｂ　　　　　　　　第２ロックユニット
１１　　　　　　　　　ベース板
１２　　　　　　　　　起伏片
１３　　　　　　　　　保持部片
１３ａ　　　　　　　　保持部片の自由端
１５　　　　　　　　　螺旋ばね
１７，１８　　　　　　ヒンジ構造
２０　　　　　　　　　磁性板片
２１　　　　　　　　　係止片
２２　　　　　　　　　連結鉤部
２５　　　　　　　　　係合孔
２６　　　　　　　　　係止部
３０　　　　　　　　　窓
３１，３１’　　　　　引き戸
３２　　　　　　　　　クレセント錠
３３　　　　　　　　　引き戸の上框
３４　　　　　　　　　引き戸の縦框
【図１】
2004060144.tif 000003
【図２】
2004060144.tif 000004
【図３】
2004060144.tif 000005
【図４】
2004060144.tif 000006
【図５】
2004060144.tif 000007
【図６】
2004060144.tif 000008